(57)【特許請求の範囲】
【請求項１】
実装枠体、ピンおよび電源回路基板を備え、
前記実装枠体は第１筒部、第２筒部および接続板部を備え、前記第１筒部と前記第２筒部は前記接続板部によって接続され、
前記ピンは前記実装枠体の軸方向に沿って延在して前記接続板部上に設けられ、
前記電源回路基板上には連結孔が設けられており、前記ピンが前記連結孔に挿設され、前記ピンと前記電源回路基板上の回路は電気的に接続されることを特徴とする照明装置。
【請求項２】
前記連結孔の位置にメス端子が設けられ、前記ピンは前記メス端子との挿設嵌合によって前記電源回路基板上の回路と接続される、もしくは
前記連結孔の内壁に導電層が設けられ、前記ピンが前記導電層に直接接触することで前記電源回路基板上の回路と接続される、ことを特徴とする請求項１に記載の照明装置。
【請求項３】
前記ピンと前記電源回路基板の基板面上の回路は直接溶接されて接続される、もしくは
前記連結孔の内壁に導電層が設けられ、前記ピンが前記導電層と溶接されることによって前記電源回路基板上の回路と接続される、ことを特徴とする請求項１に記載の照明装置。
【請求項４】
前記照明装置は実装ホルダーをさらに備え、前記実装ホルダーは前記実装枠体と接続され、前記実装ホルダーは前記軸方向に垂直に設けられる、ことを特徴とする請求項１〜３のいずれかに記載の照明装置。
【請求項５】
前記実装ホルダー上には第１フック機構が設けられており、前記実装ホルダーは前記第１フック機構によって前記電源回路基板と係着して接続される、ことを特徴とする請求項４に記載の照明装置。
【請求項６】
前記実装ホルダー上には第１位置規制ブロックが設けられており、前記第１位置規制ブロックは前記軸方向に沿って延在して設けられ、少なくとも前記軸方向において前記電源回路基板の位置を規制する、ことを特徴とする請求項４に記載の照明装置。
【請求項７】
前記実装枠体上には第２フック機構が設けられており、前記実装枠体は前記第２フック機構によって前記電源回路基板と係着して接続される、ことを特徴とする請求項１〜３のいずれかに記載の照明装置。
【請求項８】
前記実装枠体上には第２位置規制ブロックが設けられており、前記第２位置規制ブロックは前記軸方向に沿って延在して設けられ、少なくとも前記軸方向において前記電源回路基板の位置を規制する、ことを特徴とする請求項７に記載の照明装置。
【請求項９】
前記第３フック機構および／または前記第２位置規制ブロックは前記実装枠体と一体成型される、ことを特徴とする請求項８に記載の照明装置。
【請求項１０】
前記照明装置はさらに光源基板を備え、
前記接続板部には、前記実装枠体の軸方向に沿って延在する第２ピンが設けられ、
前記電源回路基板上には第２連結孔が設けられ、前記光源基板上には第３連結孔が設けられており、
前記第２ピンは前記第２連結孔を挿通し、前記第２ピンと前記電源回路基板上の回路は電気的に接続され、
前記第２ピンは前記第３連結孔に挿設され、前記第２ピンと前記光源基板上の回路は電気的に接続されることを特徴とする請求項１〜３のいずれかに記載の照明装置。
【請求項１１】
前記照明装置はさらに光源基板を備え、前記光源基板は前記実装枠体と係着して接続される、および／または
前記ピンは前記実装枠体と一体成型される、ことを特徴とする請求項１〜３のいずれかに記載の照明装置。
【発明の詳細な説明】
【技術分野】
【０００１】
本発明は照明技術分野に関するものであり、特に組み立てやすく、組み立て効率が高い照明装置に関するものである。
【背景技術】
【０００２】
照明装置は日常生活において広く活用されており、人々の生活水準の向上に従って、照明装置の種類もますます多くなっている。
【０００３】
従来の照明装置（例えば、特許文献１）は電源回路基板とピン（ピン針）とを備え、電源回路基板とピンとの間は通常、導線によって接続され、電源回路基板上から引き出される導線は通常、人の手による手動でピン上に巻き付けなければならず、しかもその後、導線とピンを溶接して接続する。このような実装方法は、作業がしづらく、工程数が多く、製造コストが高い。
【０００４】
また、従来の照明装置（例えば、特許文献１）は、さらに多くの他の部材、例えば実装枠体、電源カバープレート、光源基板、実装ホルダー、ヒートシンク、熱伝導グリス、シリカゲル、ライトカバーおよび複数の締め付けねじ等を有し、部材個数が多いため、コストが高くなってしまう。
【先行技術文献】
【特許文献】
【０００５】
【特許文献１】特開２０１２−１４２２１５号公報
【発明の概要】
【発明が解決しようとする課題】
【０００６】
従来技術における上記欠点に鑑みて、本発明はコストが低い照明装置を提供することを目的とする。
【課題を解決するための手段】
【０００７】
本発明が提供する照明装置は、実装枠体、ピンおよび電源回路基板を備え、実装枠体は第１筒部、第２筒部および接続板部を備え、第１筒部と第２筒部は接続板部によって接続され、ピンは実装枠体の軸方向に沿って延在して接続板部上に設けられ、電源回路基板上には連結孔が設けられ、ピンが連結孔に挿設され、ピンと電源回路基板上の回路とが電気的に接続される。
【０００８】
少なくとも１つの実施形態において、連結孔の位置にメス端子が設けられ、ピンはメス端子との挿設嵌合によって電源回路基板上の回路と接続される、もしくは連結孔の内壁に導電層が設けられ、ピンが導電層に直接接触することで電源回路基板上の回路と接続される。
【０００９】
少なくとも１つの実施形態において、ピンと電源回路基板の基板面上の回路は直接溶接されて接続される、もしくは連結孔の内壁に導電層が設けられ、ピンが導電層と溶接されることによって電源回路基板上の回路と接続される。
【００１０】
少なくとも１つの実施形態において、照明装置は実装ホルダーをさらに備え、実装ホルダーは実装枠体と接続され、実装ホルダーは軸方向に垂直に設けられる。
【００１１】
少なくとも１つの実施形態において、実装ホルダー上には第１フック機構が設けられており、実装ホルダーは第１フック機構によって電源回路基板と係着して接続される。
【００１２】
少なくとも１つの実施形態において、実装ホルダー上には第１位置規制ブロックが設けられており、第１位置規制ブロックは軸方向に沿って延在して設けられ、少なくとも軸方向において電源回路基板の位置を規制するために用いられる。
【００１３】
少なくとも１つの実施形態において、実装枠体上には第２フック機構が設けられており、実装枠体は第２フック機構によって電源回路基板と係着して接続される。
【００１４】
少なくとも１つの実施形態において、実装枠体上には第２位置規制ブロックが設けられており、第２位置規制ブロックは軸方向に沿って延在して設けられ、少なくとも軸方向において電源回路基板の位置を規制するために用いられる。
【００１５】
少なくとも１つの実施形態において、第２フック機構および／または第２位置規制ブロックは実装枠体と一体成型される。
【００１６】
少なくとも１つの実施形態において、照明装置はさらに光源基板を備え、接続板部には、実装枠体の軸方向に沿って延在する第２ピンが設けられ、電源回路基板上には第２連結孔が設けられ、光源基板上には第３連結孔が設けられており、第２ピンは第２連結孔を挿通し、第２ピンと電源回路基板上の回路は半田接続により電気的に接続され、第２ピンは第３連結孔に挿設され、第２ピンと光源基板上の回路は電気的に接続される。
【００１７】
少なくとも１つの実施形態において、照明装置はさらに光源基板を備え、光源基板は実装枠体と係着して接続される、および／またはピンは実装枠体と一体成型される。
【発明の効果】
【００１８】
本発明によれば、実装枠体の接続板部上にピンを設け、電源回路基板上に連結孔を設けることによって、ピンを連結孔に挿設させた後、電源回路基板上の回路と電気的に接続させることができ、照明装置の実装工程を簡略化し、作業を簡単にすることができ、これによって照明装置のコストを下げることができる。
【図面の簡単な説明】
【００１９】
【図１】本発明の照明装置の第１実施形態における立体構造図を示す。
【図２】図１の構造分解図を示す。
【図３】図１のある位置における断面図を示す。
【図４】図１の別の位置における断面図を示す。
【図５】本発明の照明装置の第２実施形態における構造分解図を示す。
【図６】本発明の照明装置の第２実施形態における断面図を示す。
【図７】本発明の照明装置の第３実施形態における構造分解図を示す。
【発明を実施するための形態】
【００２０】
以下、本発明の実施形態について図面を参照しながら説明する。なお、これらの具体的な説明は、当業者が如何にして本発明を実施するかを教示するためだけのものであって、本発明の全ての実施可能な形態を挙げるためのものではなく、また本発明の保護範囲を制限するためのものでもないことを理解されたい。
【００２１】
本発明において記載される「上」および「下」という二つの方位を示す記述はいずれも図１に基づく視点からのものである。
（第１実施形態）
【００２２】
以下、図１〜図４に基づいて、本発明による照明装置の第１実施形態について詳細に説明する。
【００２３】
本実施形態において、図１および図２に示すように、本発明による照明装置は実装枠体１、電源回路基板２、実装ホルダー３、光源基板４、ライトカバー５、ピン６および締結部材７を備える。
【００２４】
本実施形態において、図２および図３に示すように、実装枠体１は全体として略段付き筒状であり、第１筒部１１、第２筒部１２および接続板部１３を備える。第１筒部１１の直径は第２筒部１２の直径より大きく、第１筒部１１の下端は接続板部１３によって第２筒部１２の上端と接続される。
【００２５】
第１筒部１１の内壁には第１係着孔１１１と第２係着孔１１２とが設けられている。第１係着孔１１１と第２係着孔１１２は第１筒部１１の軸方向において間隔を開けて設けられている。第１係着孔１１１は光源基板４を係着するためのものであり、第２係着孔１１２はライトカバー５を係着するためのものである。ここで、第１係着孔１１１と第２係着孔１１２はいずれも、例えば３つとすることができ、３つの第１係着孔１１１と３つの第２係着孔１１２はいずれも第１筒部１１の周方向に沿って均一な間隔を開けて設けることができる。
【００２６】
図３に示すように、ピン６は実装枠体１の軸方向に沿って接続板部１３を貫通して設けられ、ピン６と電源回路基板２内の回路（電源回路基板２上に導電層（例えば、銅層）が被覆されて回路を形成する）が接続される。ここで、本実施形態では、ピン６を２つ有し、２つのピン６は実装枠体１の周方向において、例えば約１８０度の間隔を開けて設けられる。
【００２７】
本実施形態において、図２に示すように、電源回路基板２は水平部２１と垂直部２２とを備える。全体として略円形をなす水平部２１は実装枠体１の軸方向に垂直に設けられ、全体として略矩形をなす垂直部２２は水平部２１の下表面から水平部２１に垂直に下方に延在して設けられる。ここで、水平部２１は第１筒部１１の第１筒形空間内に位置し、垂直部２２は第１筒部１１の第１筒形空間から第２筒部１２の第２筒形空間内まで延在している。なお、第２筒部１２を設けることによって、電源回路基板２が垂直部２２を備えることを可能にし、さらにはより多くの回路構造を配置することを可能にする。
【００２８】
図２および図３に示すように、水平部２１上にはメス端子２１１と連結孔２１２とが設けられている。メス端子２１１は連結孔２１２の位置に設けられる。
【００２９】
ピン６（即ち、ピン針）は連結孔２１２内に挿設され、ピン６の上端はメス端子２１１と挿設され、さらに電源回路基板２内の回路と接続される。ここでは、メス端子２１１を２つ有し、２つのメス端子２１１が水平部２１の周方向において、例えば約１８０度の間隔を開けて設けられる。このように、電源回路基板２を実装する際に、ピン６を電源回路基板２内の回路と直接接続させることができ、巻回や溶接といった他の付加的な作業をする必要がないため、照明装置の組み立て工程を簡略化し、作業を簡単にし、製造コストを抑えることができる。
【００３０】
図４に示すように、水平部２１の上方には２本の導線２１３が設けられており、２本の導線２１３は光源基板４と接続するとともに、光源基板４上の光源に電力を供給するために用いられる。
【００３１】
本実施形態において、図２および図３に示すように、全体として略円形をなす実装ホルダー３は、実装枠体１の軸方向に垂直となるように電源回路基板２と実装枠体１との間に設けられる。
【００３２】
図２および図３に示すように、実装ホルダー３はホルダーベース３１、第１フック機構３２および第１位置規制ブロック３３を備える。
【００３３】
ホルダーベース３１は全体として略円形をなしており、ホルダーベース３１上にはピン孔３１１および締結孔３１２が設けられている。ピン孔３１１はピン６が通り抜けるためのものであり、締結孔３１２は締結部材７（例えば、ねじ）を設けるためのものであり、これによってホルダーベース３１を締結部材７によって実装枠体１上に固定して実装することができる。
【００３４】
本実施形態において、ピン６は径方向突起部６１を有し、径方向突起部６１は実装枠体１の軸方向においてホルダーベース３１と実装枠体１との間に位置し、ホルダーベース３１は径方向突起部６１を押圧し、さらにはピン６を実装枠体１上に固定する。
【００３５】
図２および図４に示すように、第１フック機構３２は第１フック３２１を備え、第１フック３２１はホルダーベース３１の上表面から実装枠体１の軸方向に沿って上方に延在して設けられ、第１フック３２１の上端にはＶ字形係着部３２１１が形成されている。ここで、第１フック３２１は例えば３つとすることができ、３つの第１フック３２１は実装ホルダー３の周方向に沿って均一な間隔を開けて設けられる。なお、実装ホルダー３は第１フック機構３２によって電源回路基板２と係着接続され、Ｖ字形係着部３２１１は電源回路基板２の上表面に係着される。尚、電源回路基板２の係着機構はこれに限らない。後に詳述するように、実装枠体１上に、第２フック機構１０４および第２位置規制ブロック１０５を設けて一体成型され、電源回路基板２を係着接続してもよい。
【００３６】
図２に示すように、第１位置規制ブロック３３はホルダーベース３１の上表面から実装枠体１の軸方向に沿って上方に延在して設けられ、第１位置規制ブロック３３の上端には軸方向位置規制部３３１と径方向位置規制部３３２とが形成され、軸方向位置規制部３３１の第１位置規制面３３１１は実装枠体１の軸方向に垂直に設けられ、径方向位置規制部３３２の第２位置規制面３３２１は実装枠体１の軸方向に沿って延在して設けられる。ここで、第１位置規制面３３１１は電源回路基板２の下表面と接触して、実装枠体１の軸方向において電源回路基板２の位置を規制し、第２位置規制面３３２１は電源回路基板２の側壁面と接触して、実装枠体１の径方向において電源回路基板２の位置を規制する。
【００３７】
本実施形態において、第１位置規制ブロック３３は例えば３つとすることができ、３つの第１位置規制ブロック３３は実装ホルダー３の周方向に沿って均一な間隔を開けて設けられる。
【００３８】
本実施形態において、図３に示すように、全体として略円形をなす光源基板４は実装枠体１の軸方向に垂直となるように電源回路基板２の上方に設けられる。光源基板４上にはＬＥＤライトが設けられている。
【００３９】
図２および図４に示すように、光源基板４上には係着突起４１が設けられており、係着突起４１は光源基板４の側壁面から光源基板４の径方向に沿って光源基板４から離間するように延在して設けられ、光源基板４は係着突起４１と第１係着孔１１１との係着嵌合によって、第１筒部１１と係着接続される。ここで、係着突起４１は例えば３つとすることができ、３つの係着突起４１は光源基板４の周方向に沿って均一な間隔を開けて設けることができる。このように、光源基板４が実装枠体１と直接係着接続されるので、従来技術と比べて、光源基板４の基板面の面積をできるだけ大きくすることができ、光源基板４上の導電層の設計面積を大きくすることができるとともに、放熱性能を高めるのに有利である。
【００４０】
本実施形態において、図４に示すように、光源基板４上にはさらに２つの導電接続部４２が設けられており、導線２１３は上方に向かって光源基板４を通り抜けた後、導電接続部４２と接続し、さらには光源基板４上のＬＥＤライトに電力を供給することができる。なお、導電接続部４２上には係合溝が設けられていてもよく、導線２１３が折れ曲がって係合溝に係入することで接続を実現することができる。
【００４１】
本実施形態において、図２および図４に示すように、ライトカバー５上には第３フック機構５１が設けられており、第３フック機構５１は第３フック５１１を備え、第３フック５１１はライトカバー５下部に設けられ、ライトカバー５は第３フック５１１と第２係着孔１１２との係着嵌合によって第１筒部１１と係着接続される。ここで、第３フック５１１は例えば３つとすることができ、３つの第３フック５１１はライトカバー５の周方向に沿って均一な間隔を開けて設けられてもよい。
【００４２】
本実施形態において、ライトカバー５と第１筒部１１との間に弾性ガスケット（図示せず）を設けてもよい。このようにして、ライトカバー５を第１筒部１１と密着固定させることで、照明装置の密封性能を保証することができる。
（第２実施形態）
【００４３】
以下、図５および図６に基づいて、本発明による照明装置の第２実施形態について詳細に説明する。
【００４４】
本実施形態において、図５および図６に示すように、本発明による照明装置は実装枠体１０、電源回路基板２０、光源基板３０、ライトカバー４０およびピン５０を備える。ここで、電源回路基板２０、光源基板３０およびライトカバー４０の構造および実装方法は第１実施形態における電源回路基板２、光源基板４およびライトカバー５の構造および実装方法と基本的に同じである。
【００４５】
本実施形態は第１実施形態と比べて、実装ホルダーと締結部材を設けない点が主に異なり、実装枠体１０上に係着機構と第２位置規制ブロックを直接設けるものである。
【００４６】
本実施形態において、図５に示すように、実装枠体１０は第１筒部１０１、第２筒部１０２および接続板部１０３を備える。第１筒部１０１の直径は第２筒部１０２の直径より大きく、第１筒部１０１の下端は接続板部１０３によって第２筒部１０２の上端と接続される。
【００４７】
本実施形態において、実装枠体１０上には、第２フック機構１０４および第２位置規制ブロック１０５が一体成型されて設けられている。第２フック機構１０４と第２位置規制ブロック１０５はいずれも接続板部１０３の上表面から実装枠体１０の軸方向に沿って上方に延在して設けられる。ここで、第２フック機構１０４は例えばフックを３つ有することができ、第２位置規制ブロック１０５は例えば３つとすることができ、３つのフックと３つの第２位置規制ブロック１０５はいずれも実装枠体１０の周方向に沿って均一な間隔を開けて設けることができる。
【００４８】
第１実施形態と同様に、実装枠体１０は第２フック機構１０４によって電源回路基板２０と係着接続され、第２位置規制ブロック１０５は電源回路基板２０の軸方向および径方向の位置を規制する。
【００４９】
本実施形態において、ピン５０は実装枠体１０と一体成型することができる。ピン５０は同様に電源回路基板２０上に設けられたメス端子と挿設嵌合することで、ピン５０を電源回路基板２０上の回路と接続させることができる。
（第３実施形態）
【００５０】
以下、図７に基づいて、本発明による照明装置の第３実施形態について詳細に説明する。
【００５１】
本実施形態において、図７に示すように、本発明による照明装置は実装枠体１０、電源回路基板２０、光源基板３０、ライトカバー４０、第１ピン５０及び第２ピン６０を備える。ここで、電源回路基板２０、光源基板３０、ライトカバー４０の構造および実装方法は第１実施形態おける電源回路基板２、光源基板４およびライトカバー５の構造および実装方法と基本的に同じである。実装枠体１０は、第２実施形態に示したものと同様に、第1筒部１０１、第２筒部１０２及び接続板部１０３を備える。
【００５２】
本実施形態は第１実施形態と比べて、光源に電力を供給する導線２１３を設けない点が主に異なり、接続板部１０３上に実装枠体１０の軸方向に延在し、電源回路基板２０と光源基板３０を電気的に接続する第２ピン６０を設けるものである。
【００５３】
本実施形態において、図７に示すように、第２ピン６０は接続板部１０３上に径方向突起部６０１を設けて、その先端から実装枠体１０の軸方向に沿って光源基板３０まで延在する導電柱を備える。電源回路基板２０及び光源基板３０にはそれぞれ第２ピン６０の導電柱が挿通する連結孔２０１、３０１が設けられている。ここで、本実施形態では、第２ピン６０を２つ有し、２つのピン６０は実装枠体１０の周方向において、例えば約１８０度の間隔を開けて設けられる。電源回路基板２０における連結孔２０１の内壁には、導電層が設けられており、第２ピン６０の導電柱と半田接合あるいは溶接接合される。光源基板３０上の連結孔３０１の位置には、第２メス端子３０２が設けられ、第２ピン６０を挿設される。これによって、電源回路基板２０と光源基板３０とが電気的に接続される。
【００５４】
第２ピン６０の導電柱は連結孔３０１内に挿通され、更に先端は第２メス端子３０２と挿設され、光源基板３０内の回路と電気的に接続される。ここでは、メス端子３０２を２つ有し、２つのメス端子３０２が実装枠体１０の周方向において、例えば約１８０度の間隔を開けて設けられる。このように、電源回路基板２０と光源基板３０を実装する際に、第２ピン６０を光源基板３０内の回路と直接接続させることができ、導線を用いる場合に比べて、導線の折り曲げや導電接続部への係合といった他の付加的な作業をする必要がないため、照明装置の組み立て工程を簡略化し、作業を簡単にし、製造コストを抑えることができる。
【００５５】
第２ピン６０の径方向突起部６０１は接続板部１０３から電源回路基板２０に接する位置まで延びている。このように構成すれば、第２ピン６０を電源回路基板２０の連結孔３０２に通す際に、径方向突起部６０１の先端位置で電源回路基板２０を支えることができ、位置決めが容易になり、照明装置の組み立て工程が簡略化できる。
【００５６】
本実施形態において、上記の技術手段を採用することによって、照明装置の部材個数をさらに減らすことができ、照明装置の実装工程を更に少なくし、作業を簡単にし、コストを下げることができる。
【００５７】
上記の技術手段を採用することによって、本発明に基づく照明装置は少なくとも以下の利点を有する。
【００５８】
（１）本発明の照明装置では、実装枠体の接続板部上にピンを設け、電源回路基板上に連結孔を設けることによって、ピンを連結孔に挿設させた後、電源回路基板上の回路と電気的に接続させることができ、照明装置の実装工程を簡略化し、作業を簡単にし、照明装置のコストを抑えることができる。
【００５９】
（２）本発明の照明装置では、光源基板を実装枠体と直接係着接続させることによって、光源基板の基板面の面積を大きくすることができ、光源基板上の導電層の設計面積を大きくすることができるとともに、放熱性能を高めることができる。
【００６０】
（３）本発明の照明装置では、位置規制ブロックを設けることによって、電源回路基板を素早く実装することができ、電源回路基板と実装枠体間の衝突を防止することができる。
【００６１】
（４）本発明の照明装置では、実装枠体上にフック機構および第２位置規制ブロックを一体成型して設けるため、照明装置の実装工程を大幅に簡略化することができ、作業が更に簡単になり、コストがさらに低くなる。
【００６２】
（５）本発明の照明装置では、実装枠体上に第２ピンを設けて、電源回路基板と光源基板を電気的に接続できるようにしたため、光源基板の給電接続についても、実装工程を更に大幅に簡略化することができる。
【００６３】
以上の発明を実施するための形態では、本発明の技術手段について詳細な説明を行ったが、さらに以下の補足説明を行う。
【００６４】
（１）上記の実施形態では、電源回路基板上の連結孔の位置にメス端子を設け、ピンはメス端子と挿設嵌合することによって電源回路基板上の回路と接続されると説明したが、本発明はこれに限定されず、電源回路基板上にメス端子を設けなくてもよく、連結孔の内壁に導電層（例えば、銅層）を設けて、ピンを連結孔に挿入した後、ピンが導電層に直接接触することで電源回路基板上の回路と接続してもよい。また、ピンは電源回路基板の基板面上の回路と直接溶接して接続されてもよく（メス端子も必要なく）、連結孔の内壁に導電層を設ける際に、ピンが該導電層と溶接接続されることによって電源回路基板上の回路と接続されてもよい。ここで、溶接方法はウェーブはんだ付け、リフローはんだ付けやその他の方法とすることができる。
【００６５】
（２）上記の実施形態では、２つのピンが水平部の周方向において約１８０度の間隔を開けて設けられると説明したが、本発明はこれに限定されず、２つのピンが水平部の周方向においてその他の角度の間隔を開けて設けられてもよい。
【００６６】
（３）上記の実施形態では、第１係着孔、第２係着孔、第１フック、係着突起、第２フックおよび位置規制ブロックの個数はいずれも３つとして説明したが、本発明はこれに限定されず、第１係着孔、第２係着孔、第１フック、係着突起、第２フックおよび位置規制ブロックの個数はいずれも実際の需要に応じて設けてもよく、２つ、４つまたはその他の個数であってもよい。
【００６７】
（４）第２実施形態では、フック機構および第２位置規制ブロックはいずれも実装枠体と一体成型されて設けられると説明したが、本発明はこれに限定されず、フック機構と第２位置規制ブロックはいずれも実装枠体と着脱可能に設けられ（例えば係着され）てもよい。
【００６８】
（５）第３実施形態では、第２ピンと光源基板はメス端子によって、挿設されると説明したが、電源回路基板と同様に連結孔の内壁に導電層を設けて、半田プロセスで電気的接続を実現してもよい。更に、実装枠体の軸方向において、第２ピンの径方向突起部１は電源回路基板に接する位置まで延在すると説明したが、接続板部と電源回路基板の間の途中まで延在させてもよい。
【００６９】
（６）以上、図中の上下関係でもって各部材間の位置関係を説明したが、これは各部材間の相対的な位置関係を便宜的に説明するためだけのものであることを理解されたい。図中の形態は本発明の照明装置の実際の実装形態を限定するものではない。例えば、一例として、該照明装置はライトカバーが下向きになるように実装することができ、別の一例として、該照明装置はライトカバーが概ね垂直になるように実装する、または垂直方向に対して傾斜するように実装することができる。
【符号の説明】
【００７０】
１  実装枠体、  １１  第１筒部、  １１１  第１係着孔、  １１２  第２係着孔、  １２    第２筒部、  １３  接続板部、
２  電源回路基板、  ２１  水平部、  ２１１  メス端子、  ２１２  連結孔、  ２１３  導線、  ２２  垂直部、
３  実装ホルダー、  ３１  ホルダーベース、  ３１１  ピン孔、  ３１２  締結孔、  ３２  第１フック機構、  ３２１  第１フック、  ３２１１  Ｖ字形係着部、  ３３  第１位置規制ブロック、  ３３１  軸方向位置規制部、  ３３１１  第１位置規制面、  ３３２  径方向位置規制部、  ３３２１  第２位置規制面、
４  光源基板、  ４１  係着突起、  ４２  導電接続部、
５  ライトカバー、  ５１  第３フック機構、  ５１１  第３フック、
６  ピン、  ６１  径方向突起部、  ７  締結部材、
１０    実装枠体、  １０１  第１筒部、  １０２  第２筒部、  １０３  接続板部、  １０４  第２フック機構、  １０５  第２位置規制ブロック、  ２０  電源回路基板、  ３０  光源基板、  ４０    ライトカバー、  ５０  ピン（第１ピン）、  ６０  第２ピン、  ６０１  径方向突起部。
【図１】
0006924947.tif 000002
【図２】
0006924947.tif 000003
【図３】
0006924947.tif 000004
【図４】
0006924947.tif 000005
【図５】
0006924947.tif 000006
【図６】
0006924947.tif 000007
【図７】
0006924947.tif 000008